(57)【要約】【課題】ＲＰＳ（Ｒｅｎｅｗａｂｌｅｓ  Ｐｏｒｔｆｏｌｉｏ  Ｓｔａｎｄａｒｄ）制度申請・届出において、届け出された内容をチェックするに際して、当該届出者のミス及び不正についての発見を支援する。【解決手段】ＲＰＳ制度電子管理システムは、届出情報のチェックを行うに際し、端末の使用者の指示に基づき、届出情報データベース、設備情報データベースに登録されている情報および紙面で届け出られた情報から、当該届出者が届け出るであろう電気供給量を予測し、その結果を端末に表示させる。【選択図】図１３
2004334354.tif 000002
【特許請求の範囲】
【請求項１】
電子計算機を用いて、前記電子計算機にネットワークを介して接続された端末より、新エネルギーの電気供給量の届出情報をチェックする、ＲＰＳ制度申請・届出情報チェック支援方法であって、
前記端末より、届出者から受け付けた、紙媒体の届出情報を入力する入力ステップと、
チェックする届出情報を、前記端末より選択させる選択ステップと、
前記選択ステップで選択された届出情報を前記電子計算機の届出情報を記憶しておく記憶手段から検索する検索ステップと、
前記新エネルギーの電気供給量を予測する予測処理ステップと、
前記届出情報と予測した前記電気供給量とを基に、前記端末より、前記届出情報の内容をチェックさせるチェックステップと、
前記チェックステップのチェック結果を前記記憶手段に登録する登録ステップとを有することを特徴とするＲＰＳ制度申請・届出情報チェック支援方法。
【請求項２】
前記予測処理ステップは、前記電子計算機に登録されている、前記届出者の過去の新エネルギーの電気供給量の推移から、又は同規模でかつ同形態の発電設備の過去の届出の推移から、当該届出者が今回届け出るであろう、新エネルギーの電気供給量を予測すると共に、前記端末に予測値を表示することを特徴とする請求項１に記載のＲＰＳ制度申請・届出情報チェック支援方法。
【請求項３】
前記予測処理ステップは、前記電子計算機に登録されている、前記届出者の過去の新エネルギーの電気供給量の推移から、又は同規模でかつ同形態の発電設備の過去の届出の推移から、当該届出者が今回届け出るであろう、新エネルギーの電気供給量を予測すると共に、前記予測値と前記届出者が届け出た新エネルギーの電気供給量とを比較して、その比較結果を表示することを特徴とする請求項１又は請求項２に記載のＲＰＳ制度申請・届出情報チェック支援方法。
【請求項４】
前記予測処理ステップは、過去の届出情報の平均の値を求めることにより、今回届け出されるであろう新エネルギーの電気供給量を予測すると共に、前記端末に表示することを特徴とする請求項１乃至請求項３のいずれか１項に記載のＲＰＳ制度申請・届出情報チェック支援方法。
【請求項５】
前記検索ステップは、前記端末より、検索指示を受け付けると、前記届出者の届出情報から、該当する設備に関する設備情報を前記電子計算機の記憶手段から読み込むことを特徴とする請求項１乃至請求項４のいずれか１項に記載のＲＰＳ制度申請・届出情報チェック支援方法。
【請求項６】
前記登録処理ステップは、検索された前記届出情報と予測された前記電気供給量とを基に、前記端末より、前記届出情報の内容をチェックさせ、チェックを行った結果を前記端末から受信することを特徴とする請求項１乃至請求項５のいずれか１項に記載のＲＰＳ制度申請・届出情報チェック支援方法。
【請求項７】
前記ＲＰＳ制度申請・届出情報チェック支援方法は、チェックされた届出情報を、前記ネットワークを介して接続された端末より、確認可能であることを特徴とする請求項１乃至請求項６のいずれか１項に記載のＲＰＳ制度申請・届出情報チェック支援方法。
【請求項８】
電子計算機を用いて、前記電子計算機にネットワークを介して接続された端末より、新エネルギーの電気供給量の届出情報をチェックする、ＲＰＳ制度申請・届出情報チェック支援プログラムであって、
前記プログラムは、前記電子計算機により読み取られて実行されることにより、前記端末を介して、届出者から受け付けた、紙媒体の届出情報を入力する入力手段と、
チェックする届出情報を、前記端末より選択させる選択手段と、
前記選択手段で選択された届出情報を前記電子計算機の届出情報を記憶しておく記憶手段から検索する検索手段と、
前記新エネルギーの電気供給量を予測する予測処理手段と、
前記届出情報と予測した前記電気供給量とを基に、前記端末より、前記届出情報の内容をチェックさせるチェック手段と、
前記チェック手段のチェック結果を前記記憶手段に登録する登録手段とを前記電子計算機上に構築するものであり、
前記予測処理手段は、前記電子計算機に登録されている、前記届出者の過去の新エネルギーの電気供給量の推移から、又は同規模でかつ同形態の発電設備の過去の届出の推移から、当該届出者が今回届け出るであろう、新エネルギーの電気供給量を予測すると共に、前記端末に予測値を表示することを特徴とするＲＰＳ制度申請・届出情報チェック支援プログラム。
【請求項９】
前記プログラムは、前記予測処理手段において、前記電子計算機に登録されている、前記届出者の過去の新エネルギーの電気供給量の推移から、又は同規模でかつ同形態の発電設備の過去の届出の推移から、当該届出者が今回届け出るであろう、新エネルギーの電気供給量を予測すると共に、前記予測値と前記届出者が届け出た新エネルギーの電気供給量とを比較して、その比較結果を表示することを特徴とする請求項８に記載のＲＰＳ制度申請・届出情報チェック支援プログラム。
【請求項１０】
請求項８又は請求項９に記載のＲＰＳ制度申請・届出情報チェック支援プログラムを記録したことを特徴とする電子計算機による読み取り可能な記憶媒体。
【発明の詳細な説明】
【０００１】
【発明の属する技術分野】
本発明は省庁が受け付けた、ＲＰＳ（Ｒｅｎｅｗａｂｌｅｓ  Ｐｏｒｔｆｏｌｉｏ  Ｓｔａｎｄａｒｄ）制度（再生可能エネルギーの証書を用いた標準化制度）に関する申請・届け出された内容をチェックすることを支援する、ＲＰＳ制度申請・届出情報チェック支援方法、ＲＰＳ制度申請・届出情報チェック支援プログラム及び記憶媒体に関する。
【０００２】
【従来の技術】
平成１４年６月に「電気事業者による新エネルギー等の利用に関する特別措置法」が成立し、平成１５年４月から施行される。この法律により、電気事業者は、前年度の電気供給量に応じて一定量以上の新エネルギーの利用を義務付けられた。新エネルギーとしては、風力、太陽光、地熱、水力、バイオマス等である。また、前記法律を施行するにあたりＲＰＳ制度という制度が運用されることとなった。このＲＰＳ制度としては次のものがある（例えば、非特許文献１参照）。非特許文献１には、ＲＰＳ制度についての情報が載っている。このＲＰＳ制度とはこれまでの制度とは異なり、電気事業者が利用する新エネルギー等の電気量に伴い「新エネルギー等電気相当量」という電子証書が国から発行され、その電子証書は市場で取引されるという点が特徴である。この電子証書はいずれ二酸化炭素の排出権取引のクレジット市場にも連携されることが検討されており、今後の拡大が予想される。また、この電子証書は国が管理を行うものであるため、発行に際して事業者はその旨の届出をしなくてはならない。その届出の内容としては電力の取引内容、取引電力を証明する検針票、取引相手から確かに取引を行ったという同意書、取引総電力に対しての新エネルギー等の按分比率等がある。
【０００３】
【非特許文献１】
「新エネルギー等利用法電子管理システム」、資源エネルギー庁、〔Ｏｎｌｉｎｅ〕、２００２年１２月６日公開〔２００３年２月４日検索〕、インターネット
＜ＵＲＬ：  ＨＹＰＥＲＬＩＮＫ  ”ｈｔｔｐ：／／ｗｗｗ．ｒｐｓ．ｇｏ．ｊｐ”  ｈｔｔｐ：／／ｗｗｗ．ｒｐｓ．ｇｏ．ｊｐ／ＲＰＳ／ｃｏｎｔｅ  ｎｔｓ／ｐｄｆ／ｓｅｔｕｍｅｉｋａｉ．ｐｄｆ＞
【０００４】
【発明が解決しようとする課題】
しかしながら、電子証書の発行数は２０１０年度で約３００万件に達することが予想されている。国が発行する証書であるため、その基本は届出ベースであり、届出量が膨大になることが確実である。この電子証書とは市場価値を持ち、取引が行われるものであるため、事業者からの届出後に迅速・正確・信頼性のある証書発行が必要となる。証書の発行のためには、届け出された電気量と添付された検針票の数値が一致していることが前提となる。しかし、発電期間が一定でない場合、同一の設備から発電した電力であっても届出によって検針票の数値は変化する。そのため、届出情報の正確さを専門的な知識を有する者がチェックする必要があるが、膨大な量の届出に対し、限られた人数では限界があり、外部委託を行う必要がある。外部委託の際には、そのチェック体制に専門知識不足を補うための支援が必要となる。
【０００５】
そこで、本発明は、届け出された内容をチェックするに際して、当該届出者のミス及び不正についての発見を支援する、ＲＰＳ制度におけるＲＰＳ制度申請・届出情報のチェック支援方法、支援プログラム及び記憶媒体を提供することを目的とする。
【０００６】
【課題を解決するための手段】
前記課題を解決するため、本発明では、電子計算機を用いて、インターネット等のネットワークを介して当該電子計算機に接続された端末より、外部委託業者が、電気供給量の届出情報のチェック作業を行う。また、紙による届出情報について、前記端末より入力する。
【０００７】
ここで、電子計算機で構築されているＲＰＳ制度電子管理システムに登録されている、当該届出に関する過去の届出の推移からあるいは同規模でかつ同形態の発電設備の過去の届出の推移から、今回届け出されるであろう当該設備の発電量を予測し、前記端末に当該予測値を表示させる。あるいは、前記予測値と当該届出情報とを比較し、その比較結果を前記端末に表示させる。
【０００８】
これにより、前記端末の使用者は、前記予測値を参照することで、当該届出情報が、また、前記比較結果を参照することで、当該届出情報が、例えば桁数の間違い等のミスをしていないかを確認できる。そして、この確認結果を官庁職員にネットワークを介して、送信することにより、チェックの負担軽減及びチェックミスの低減と迅速な電子証書の発行が可能となる。
【０００９】
【発明の実施の形態】
以下、本発明の実施の形態について、図面を参照して詳細に説明する。
【００１０】
図１は、本発明の一実施形態に係る、届け出された新エネルギー等のＲＰＳ制度申請・届出情報チェック支援システム（チェック支援システム１と略称する）の概略図である。本実施形態のチェック支援システム１は、ＲＰＳ制度に基づき電力会社等の各事業者から届け出された、新エネルギー等の電気供給量が登録されているＲＰＳ制度電子管理システム１０と委託事業者の端末２０とが、インターネット等のネットワーク３０を介して互いに接続されて構成されている。
【００１１】
ＲＰＳ制度電子管理システム１０では、これまで官庁により決済・受理の行われた、ＲＰＳ制度に係る申請・届出の情報が申請・届出データベースに登録されており、またネットワーク３０を介して官庁の電子受付システムから、まだ受理の行われていない、新エネルギー等の電気供給量の電子届出の内容が受け取られる。
【００１２】
図２に、ＲＰＳ制度電子管理システム１０の構成を示す。ＲＰＳ制度電子管理システム１０は、主としてユーザ情報ＤＢ（データベース）１０６、設備情報ＤＢ１０７、届出情報ＤＢ１０８、通信処理部１０１、制御部１０２、検索処理部１０３、予測処理部１０４、登録処理部１０５から構成されている。
【００１３】
ユーザ情報ＤＢ１０６には、図３に示すように、ユーザＩＤとパスワードからなるログイン情報１０６１と、ユーザの事業者名、住所、連絡先、氏名からなるユーザ情報１０６２とが登録されているものとする。電気事業者は、このログイン情報１０６１で自ら申請した届出情報等を参照することができる。また、外部委託業者は、このログイン情報１０６１で後記するチェック作業のためのログインを行うことができる。設備情報ＤＢ１０７には、図４に示すように、ＲＰＳ制度に基づき申請された設備の情報として発電形態１０７２、設備名称１０７３、所在地１０７４、発電出力１０７５、運転開始日１０７６が、設備ＩＤ１０７１に対応づけられて登録されているものとする。これらは新エネルギーとしての発電設備であり、発電形態１０７２とは、風力発電や太陽光発電等である。また発電出力１０７５とは、単位期間での発電される電力量である。届出情報ＤＢ１０８には、図５に示すように、ＲＰＳ制度に基づき電子証書の発行を届け出た情報として設備ＩＤ１０７１、電気供給量１０８３、発電期間１０８４が、届出ＩＤ１０８１に対応づけられて登録されているものとする。すなわち、届出情報は、設備ＩＤ１０７１で示す風力発電や太陽光発電等の設備で、発電期間１０８４で示す期間にどれだけの電気供給を行ったかを示す情報である。
【００１４】
図２において、通信処理部１０１は、ネットワーク３０を介して、端末２０と通信を行う。制御部１０２は、通信処理部１０１を介して、端末２０からログイン情報やチェック作業の為に選択された届出ＩＤや指示情報等を受け取り、検索処理部１０３、予測処理部１０４及び登録処理部１０５を制御する。検索処理部１０３は、選択された届出ＩＤに関する登録データを届出情報ＤＢ１０８、設備情報ＤＢ１０７から検索する。予測処理部１０４は、端末２０からの予測値表示指示に基づき、届出情報ＤＢ１０８、設備情報ＤＢ１０７に登録されている情報を用いて予測値等を算出する。登録処理部１０５は、端末２０からのチェック済み届出ＩＤに基づいて届出情報ＤＢ１０８へチェック済み登録処理を行う。これらの詳細については後記する。
【００１５】
図１に戻って説明する。端末２０は、外部委託業者が使用し、ネットワーク３０を介して、ＲＰＳ制度電子管理システム１０から決済前の届出情報を参照したり、紙媒体の届出情報を端末２０から入力したり、届出の新エネルギー等の電気供給量１０８３が正しい値であるか、届出情報に不備がないかをチェックするのに使用する。
【００１６】
図６に端末２０の構成を示す。端末２０は、主として通信処理部２０１、指示受付部２０２、表示処理部２０３、制御部２０４から構成されている。通信処理部２０１は、ネットワーク３０を介して、ＲＰＳ制度電子管理システム１０と通信を行う。指示受付部２０２は、入力装置を用いて使用者より指示を受け付ける。制御部２０４は、通信処理部２０１を介して、ＲＰＳ制度電子管理システム１０から届出情報を受け取り、表示処理部２０３を制御して、データを表示装置に表示させる。また、指示受付部２０２で受け付けた指示は、通信処理部２０１を介して、ＲＰＳ制度電子管理システムに送信する。なお、前記ＲＰＳ制度電子管理システム１０及び端末２０は、例えば図７に示すようなＣＰＵ８１と、メモリ８２と、ハードディスク装置等の外部記憶装置８３と、ＣＤ−ＲＯＭ等の記憶媒体８４からデータを読み取る読取装置８５と、キーボードやマウス等の入力装置８６と、モニタ等の出力装置８７と、ネットワーク３０を介して通信を行う通信装置８８と、これらの各装置を接続するバス８９とを備えた、一般的な構成を有する電子計算機上に構築することができる。ここで、このような電子計算機上に前記のＲＰＳ制度電子管理システム１０及び端末２０を構築するためのプログラムは、外部記憶装置８３から、あるいは、読取装置８５を介して記憶媒体８４から、メモリ８２上にロードするようにしてもよい。
【００１７】
次に前記構成のチェック支援システム１の動作について説明する。図８から図１０に、図１に示すチェック支援システム１の動作手順を示す。適宜図１、図２及び図６を参照しながら説明する。
【００１８】
図８で、まず、ＲＰＳ制度電子管理システム１０は、端末２０からアクセスされると、端末２０にログイン画面を表示させるために必要なデータを送信して（Ｓ９００１）、当該端末２０の表示装置に前記ログイン画面を表示し（Ｓ９００２）、ログイン情報を受け付ける（Ｓ９００３）。
【００１９】
図１１は、端末２０に表示されるログイン画面の一例を示す図である。ここで、符号１１１、１１２はＲＰＳ制度電子管理システムから予め通知されたログイン情報１０６１（図３参照）を入力するための入力欄である。使用者は、キーボード等の入力装置を用いて該当するログイン情報１０６１を入力できる。また、符号１１３は、入力欄１１１、１１２に入力されている情報をＲＰＳ制度電子管理システム１０に送信するためのＯＫボタン、そして、符号１１４は、入力欄１１１、１１２に入力されている情報をキャンセルするためのキャンセルボタンである。
【００２０】
図８に戻って適宜図６を参照しながら説明する。端末２０において、端末２０の指示受付部２０２は、使用者がＯＫボタン１１３（図１１参照）を選択したことを検知すると、その旨を端末２０の制御部２０４に通知する。これを受けて制御部２０４は、通信処理部２０１を制御して、図１１に示すログイン画面の入力欄１１１、１１２のログイン情報１０６１（図３参照）をＲＰＳ制度電子管理システム１０に送信する（Ｓ９００４）。
【００２１】
次に、ＲＰＳ制度電子管理システム１０（図２参照）において、制御部１０２は、通信処理部１０１を介して端末２０よりログイン情報１０６１を受け取ると、当該ログイン情報１０６１がユーザ情報ＤＢ１０６に登録されているか否かを調べる。登録されている場合はログインを許可しステップＳ９００７へ進む（Ｓ９００５）。登録されていない場合は、ログインを不許可とし、当該端末２０にエラーメッセージを表示させるためのエラー処理を行う（Ｓ９００６）。
【００２２】
登録されている場合は、ログインを許可する。そして、端末２０に、ＲＰＳ制度電子管理システム１０が登録している、未決済の届出データを選択させるための届出情報選択画面表示のためのデータを送信して（Ｓ９００７）、当該端末２０に届出情報選択画面を表示させる（Ｓ９００８）。
【００２３】
図１２は、端末２０に表示される届出情報選択画面の一例を示す図である。図１２に示すように、端末２０において、未決済である届出の届出ＩＤ１０８１を表示し、使用者は、チェックボックス１２２をチェックすることで、チェック作業を行う届出情報の届出ＩＤ１０８１を選択することができる。
【００２４】
図８に戻って説明する。端末２０は、使用者がチェック作業を行う届出情報の届出ＩＤ１０８１を選択（図１２でチェックボックス１２２にチェックしＯＫボタン１２３を選択）したことを検知すると（Ｓ９００９）、その旨を端末２０の制御部２０４に通知する。これを受けて制御部２０４は、通信処理部２０１を制御して、選択された届出ＩＤをＲＰＳ制度電子管理システム１０に送信する（Ｓ９０１０）。
【００２５】
ＲＰＳ制度電子管理システム１０において（図２参照）、ネットワーク３０を介して、通信処理部１０１に届いた情報は、制御部１０２を介して、検索処理部１０３に送信され、検索処理が行われる（Ｓ９０１１）。端末２０において、選択した届出ＩＤ１０８１（図１２参照）に対応する登録データを、届出情報ＤＢ１０８及び設備情報ＤＢ１０７より読み出し、ネットワーク３０を介して、端末２０へ検索結果を送信し（Ｓ９０１２）、使用者が選択した未決済の届出データを、当該端末２０に表示させる（届出情報入力画面表示）（図９のＳ９０１３）。
【００２６】
図１３は、端末２０に表示される届出情報入力画面の一例を示す図である。図１３に示すように、端末２０には、ＲＰＳ制度電子管理システム１０の届出情報ＤＢ１０８から読み込んだ届出ＩＤ１０８１、設備ＩＤ１０７１、電気供給量１０８３、発電期間１０８４が表示される。また、端末２０には、使用者が入力する検針票値１３５が表示される。ここで、使用者が入力する検針票は、紙媒体で提出されるものであり、図１４に示す。図１４に示す検針票に記入された内容１４１から当月電力量１４２を、端末２０より、キーボード等の入力装置より入力する。この当月電力量１４２は、図１３に示す検針票値１３５に相当する。また、図１４に示す検針票は、発電設備に付いているものであり、例えばＩＰＰ発電会社（Ｉｎｄｅｐｅｎｄｅｎｔ  Ｐｏｗｅｒ  Ｐｒｏｄｕｃｅｒ：独立発電事業者）等の発電会社が電力会社に電力を売るときに、発電会社が電力会社に発行するものである。
【００２７】
図９にて動作手順の続きを説明する。届出情報入力画面において、使用者が検針票値を入力し（Ｓ９０１４）、図１３に示す予測値ボタン１３１を選択すると、端末２０は、予測値表示指示を、ＲＰＳ制度電子管理システム１０の通信処理部１０１へ送信する（Ｓ９０１５）。ＲＰＳ制度電子管理システム１０において、制御部１０２は、通信処理部１０１を介して端末２０より予測値表示指示を受け取ると、予測処理部１０４に、当該端末２０よりの届出ＩＤ１０８１に基づき、届出情報ＤＢ１０８、設備情報ＤＢ１０７に登録されている情報を用いて、定められた算出方法に従い、図１３に示す予測値１３６を算出し（Ｓ９０１６）、算出した予測値１３６と今回届け出られた電気供給量１０８３を比較し、その差１３８を算出し（Ｓ９０１７）、その結果を、端末２０の通信処理部２０１へ送信する（Ｓ９０１８）。端末２０において制御部２０４は表示処理部２０３を介して予測値１３６及び差１３８を表示する（Ｓ９０１９）。
【００２８】
図１３において、予測値１３６は、設備ＩＤ１０７１で示す発電設備で、発電期間１０８４に発電されると予想される電力量である。予測値１３６と電気供給量１０８３とを比較し、電気供給量１０８３の妥当性を検証する。電気供給量１０８３と予測値１３６との差１３８は、一致すれば問題ないが、差が大きければ届出情報は誤りの可能性が高い。検針票値１３５は、その妥当性を保証するものとなる。検針票値１３５は電気供給量１０８３と基本的には一致する。
【００２９】
具体的には、予測値１３６は、届出情報ＤＢ１０８に登録されている「本年度までの過去の電気供給量」、「他事業者の同様設備の電気供給量」、「発電期間」、及び設備情報ＤＢ１０７に登録されている「発電形態」、「発電出力」、及び「バイオマス発電に関する対象新エネルギー等比率」、の他「日照時間」、「天候条件」を、設備により、関係式を定め算出される。一例として、太陽光発電設備において、当該設備の過去の届出の、当該発電期間の電気供給量の平均値を算出する方法がある。
【００３０】
次に、外部委託業者は、端末２０により、チェックの完了した届出について図１３に示すチェック済みチェックボックス１３４にチェックをし、送信ボタン１３２を選択することでチェック済み最終確認を行う（Ｓ９０２０）。端末２０において、端末２０の指示受付部２０２は、外部委託業者が図１３に示す送信ボタン１３２を選択したことを検知すると、その旨を端末２０の制御部２０４に通知する。これを受けて制御部２０４は、通信処理部２０１を制御して、図１３に示すチェックボックス１３４にチェックされたチェック情報をＲＰＳ制度電子管理システム１０に送信する（Ｓ９０２１）。
【００３１】
図１０で、ＲＰＳ制度電子管理システム１０は、チェック情報が送信されたことを検知する（Ｓ９０２２）と、チェックされた届出ＩＤ１０８１が正しいか最終確認メッセージを、ネットワーク３０を介して、端末２０へ送信し（Ｓ９０２３）、端末２０に、図１５に示す、最終確認画面を表示させる（Ｓ９０２４）。
【００３２】
図１５は、端末２０に表示される最終確認画面の一例を示す図である。図１５に示すように、図１３でチェック済みとした届出ＩＤ１０８１が端末２０に表示される。間違いが無ければ、ＯＫボタン１５２を、端末２０より、マウス等の入力装置より選択する。問題がある場合は、戻るボタン１５３を、端末２０より、マウス等の入力装置より選択する。
【００３３】
図１０に戻って説明する。次に、最終確認画面において、端末２０より、ＯＫボタン１５２を選択すると、端末２０は送信受付を行い（Ｓ９０２５）、最終確認情報を、ＲＰＳ制度電子管理システム１０の通信処理部１０１へ送信する（Ｓ９０２６）。ＲＰＳ制度電子管理システム１０において、端末２０より送信情報を受け取ると、ＲＰＳ制度電子管理システム１０の登録処理部１０５は、当該端末２０よりのチェック済み届出ＩＤ１０８１に従い、届出情報ＤＢ１０８へ、チェック済み登録処理を行う（Ｓ９０２７）。
【００３４】
以上説明した本発明は、前記した実施形態に限定されることなく幅広く変形実施することができる。例えば、画面の表示等は単一画面に限らず複数画面を用いて行っても良い。また複数画面を単一画面にまとめて表示しても構わない。
【００３５】
【発明の効果】
本発明によれば、届け出された内容をチェックするに際して、当該届出者のミス、不正についての発見を、支援することができる。
【図面の簡単な説明】
【図１】本発明の一実施形態に係るチェック支援システムの概略図である。
【図２】ＲＰＳ制度電子管理システムの構成図である。
【図３】ユーザ情報データベースの登録内容例を説明する図である。
【図４】設備情報データベースの登録内容例を説明する図である。
【図５】届出情報データベースの登録内容例を説明する図である。
【図６】端末の構成図である。
【図７】図１及び図６に示す装置のハードウェア構成例を示す図である。
【図８】図１に示すチェック支援システムの動作手順を示す図である。
【図９】図１に示すチェック支援システムの動作手順を示す図である。
【図１０】図１に示すチェック支援システムの動作手順を示す図である。
【図１１】端末に表示されるログイン画面を示す図である。
【図１２】端末に表示される届出情報選択画面を示す図である。
【図１３】端末に表示される届出情報入力画面を示す図である。
【図１４】届け出される紙媒体の検針票を示す図である。
【図１５】端末に表示される最終確認画面を示す図である。
【符号の説明】
１・・・チェック支援システム
１０・・ＲＰＳ制度電子管理システム
２０・・端末
３０・・ネットワーク
１０１，２０１・・通信処理部
１０２，２０４・・制御部
１０３・・検索処理部
１０４・・予測処理部
１０５・・登録処理部
１０６・・ユーザ情報ＤＢ
１０７・・設備情報ＤＢ
１０８・・届出情報ＤＢ
２０２・・指示受付部
２０３・・表示処理部
【図１】
2004334354.tif 000003
【図２】
2004334354.tif 000004
【図３】
2004334354.tif 000005
【図４】
2004334354.tif 000006
【図５】
2004334354.tif 000007
【図６】
2004334354.tif 000008
【図７】
2004334354.tif 000009
【図８】
2004334354.tif 000010
【図９】
2004334354.tif 000011
【図１０】
2004334354.tif 000012
【図１１】
2004334354.tif 000013
【図１２】
2004334354.tif 000014
【図１３】
2004334354.tif 000015
【図１４】
2004334354.tif 000016
【図１５】
2004334354.tif 000017